(57)【特許請求の範囲】
【請求項１】
履物を支持するためのベース（２）と、
このベース（２）上に履物を支持させるために、このベース（２）に両端部が接続された少なくとも１つのストラップ留め具（５、６）とを具備し、
前記ストラップ留め具（５；６）は、スノーボードビンディングを前記履物を締め付けるための調節可能な留め具（９，１０）と、ストラップ留め具（５；６）の一端部をベースに接続するための第１の部分（１７）と、この第１の部分を前記調節可能な留め具（９，１０）に接続するための第２の部分（２２，２２ａ、２３，２４）とを有し、
前記第１の部分は、前記第２の部分より高い可撓性を有する可撓性ケーブルによって形成されており、
前記可撓性ケーブルは、ループを形成するように閉じられ、また、前記第２の部分は、第２の部分の長手方向に配置された複数の留め部を有し、
前記ループは、ストラップ留め具（５；６）の長さが調節され得るように前記複数の留め部のいずれかに留められることが可能であることを特徴とするスノーボードビンディング。
【請求項２】
前記可撓性ケーブルによって形成されている第１の部分（１７）は、プラスチック材料のシースによって少なくとも部分的に覆われた金属のコアを有することを特徴とする請求項１のスノーボードビンディング。
【請求項３】
前記ストラップ留め具（５；６）の前記第２の部分は、使用者の足の甲にわたって留め具の締め付け負荷を分配させる分配部材（２３）を有し、前記可撓性ケーブルによって形成されている第１の部分（１７）は、この分配部材（２３）に留められていることを特徴とする、請求項１もしくは２のスノーボードビンディング。
【請求項４】
前記ベース（２）は、前記ループ（１７）が周りに掛け渡されたプーリ（１９）を有することを特徴とする請求項１乃至３のいずれか１のスノーボードビンディング。
【請求項５】
前記プーリ（１９）は、ベース（２）の側壁（３ｂ）に形成された区画室（２０）中に収容されていることを特徴とする請求項４のスノーボードビンディング。
【請求項６】
前記第２の部分は、第２の部分の長手方向に延びたラック（２２）を有し、このラック（２２）の複数の歯（２１）が前記複数の留め部を形成し、前記ループ（１７）は、これら歯のいずれかに、掛け渡されて選択的に留められ得ることを特徴とする請求項１ないし５のいずれか１のスノーボードビンディング。
【請求項７】
前記複数の歯（２１）の各々は、前記調節可能な留め具（９）の方向が開口したコ字形状をし、これら歯は、互いに均等に離間されていることを特徴とする請求項６のスノーボードビンディング。
【請求項８】
前記第２の部分は、前記ラック（２２）を覆うためのカバー（２２ａ）を有し、このカバー複数の歯（２１）を保護するために、ラックに取り外し可能に留められることを特徴とする請求項６もしくは７のスノーボードビンディング。
【請求項９】
前記少なくとも１つのストラップ留め具（５、６）は、前記第１の部分（１７）と第２の部分とを有する第１のストラップ留め具（５）と第２のストラップ留め具（６）とを具備する、請求項１乃至８のいずれか１のスノーボードビンディング。
【発明の詳細な説明】
【０００１】
【発明の属する技術分野】
本発明は、請求項１の前段部に係るスノーボードビンディングに関する。
【０００２】
【従来の技術】
関連する技術分野では、足及び履物の既存の形と同様にスノーボーダーの様々の要求に応えられるように、履物へのビンディングの適合及び調節を容易にする必要性が生じている。
【０００３】
殆どの場合、履物は、ストラップが使用者の履物に締め付けられる度合いを変えるために、留め装置を用いて互いに閉じられ得る２つのストラップによって各々が形成された２つ以上のストラップ留め具を用いて、ビンディングのベースに保持される。ストラップ留め具の両ストラップは、スポーツ活動中に履物の必要な支持及びクランプを確実にするように、比較的堅いプラスチックで形成されている。
【０００４】
【発明が解決しようとする課題】
しかしながら、材料の剛性のために、ビンディングの履物への取付けは、取付けのために遠くへ動かされるように弾力的に変形されなくてはならないストラップ留め具の２つのストラップによって妨げられる。
【０００５】
本発明の主要な目的は、履物へのより便利な取付けを可能にし、様々の形態の足並びに／もしくは履物への適合性を高めるように構造的及び機能的に設計された少なくとも１つのストラップ留め具を有するスノーボードビンディングを提供することである。
【０００６】
本発明の更なる目的は、履物とビンディングとの間のカップリングを最適にすることである。
【０００７】
本発明の更なる他の目的は、ビンディングを特に早くかつ容易に調節するために必要な作業を与えることである。
【０００８】
【課題を解決するための手段】
以下の説明によって明らかにされるこれら及び他の目的は、本発明によって、請求項に係って形成されたスノーボードビンディングを用いて果される。
【０００９】
【発明の実施の形態】
本発明の特徴と効果とは、図面を参照して非限定的な例を用いて説明された、好ましいがこれに限定されない実施形態についての以下の詳細な説明によって明らかにされるだろう。
【００１０】
図１を参照すると、本発明に係って形成されたスノーボードビンディングが、全体に符号１で示されている。
【００１１】
ビンディング１は、部分的に示された一般の接続手段４によって角度が調節可能な方法で、スノーボード２ａ（部分的に示された）に固定されるように構成されたベース２を有し、このベース２は、スノーボード靴もしくはブーツ（示されず）を収容可能である。
【００１２】
ベース２は、２つの互いに対向した側壁３ａ、３ｂを有し、これらは、ブリッジのような支持部３ｃによって後方で互いに接続され、使用者の靴もしくはブーツを収容するための座部を一緒になって規定している。
【００１３】
ビンディング１は、靴もしくはブーツをベース２に保持するための１対のストラップ留め具、即ち、後方のストラップ留め具５と前方のストラップ留め具６とを更に有する。後方のストラップ留め具５は、使用者の足の甲及びくるぶしの領域に作用するように、以下に説明されるような方法でベースに接続されている。また、足の上面は、前方のストラップ留め具６による作用を受ける。
【００１４】
各ストラップ留め具は、２つのストラップ５ａ、５ｂもしくは６ａ、６ｂを有し、これらストラップの間に、調節可能な留め具９、１０の各々が配置されている。
【００１５】
各ストラップ５ａ、６ａは、複数の歯７を有する。また、各ストラップ５ａ、６ａは、各々の一端１１によって、軸１３を中心として回動可能なように、側壁３ａの各区画室（compartment）１２内に取着されている。
【００１６】
ストラップ６ｂは、これの一方の端部１４によって、側壁３ｂの区画室１５内に取着されている。よって、軸１６を中心として回動可能である。ストラップ６ｂは、これの自由端に、ストラップ６ａの複数の歯に手動で解除され得る一方向性の締め付けを生じるタイプの留め具１０を有する。
【００１７】
ストラップ留め具５のストラップ５ｂは、これをベース２に接続するための手段を構成し、プラスチック材料のシースで覆われた可撓性の金属ケーブルが留めピン１８の周りで閉じられたループ１７の形状を有する第１の部分を有する。金属ケーブルが極端な角度で巻きつくことが（wrapping）ないように、ループ１７とピン１８との間にプーリ１９が介在され、全体が、側壁３ｂの区画室２０内に収容されて、保護され得る。ループ１７は、プーリ１９から離れた端部で、ラック２２の複数の歯２１に調節可能に留められている。このラック２２は、望みの調節を行うために、この下にある複数の歯２１を見て、ループ１７の係合点を選択することができるように孔２２ｂが形成されたカバー２２ａによって保護されている。また、このラックは、留め具５の締め付け負荷を使用者の足の甲にわたって分配させる形状を有する、ストラップ５ｂの第２の部分２３の上面に取着されている。ラック２２は、これにカバー２２ａを留める機能を有する２つのねじ３２、３３によって、カバー２２ａに留められている。第２の部分２３は、幅が広く、詰め物をされている。また、この第２の部分には、調節可能な留め具９が上に留められる、プラスチック材料でできた適当に堅いカバーバンド２４が設けられている。
【００１８】
前記留め具９は、レバー２５を有する公知のタイプのもので、ここでのレバー２５は、ベース２６に枢支され、ストラップ５ａの複数の歯７と係合する複数の歯２７が設けられ、ベース２６に対する機能的な各回動動作時に、閉鎖方向にストラップを引っ張る。また、留め具９は、ベース２６に、ストラップ５ａを一方向に保持するように複数の歯７に作用するつめ２８が設けられている。また、ストラップ留め具５を締め付けると留め具９を超えて突き出るストラップ５ａの一部を隠すように、座部２９が、カバーバンド２４と負荷分配部材の詰め物をされた部分との間に設けられていることにも注意してほしい。この座部２９の開口部２９ａが、図３に示されている。
【００１９】
また、ビンディング１には、側壁３ａと側壁３ｂとの間、例えばピン１８と３１との間で回動するように接続された後方の支持部３０が設けられている。
【００２０】
作業中、ビンディング１を履物に取着する間、取付け具５の締め付け負荷を使用者の足の甲にわたって分配させるための部材を組み込む必要があることから従来的には堅いストラップであるストラップ留め具５のストラップ５ａは、第１の金属ループ部分１７が有する可撓性が大きいことによって、容易に広げられ得る。第１の金属ループ部分１７の可撓性が大きいことによって、ストラップ留め具の２つのストラップ５ａ、５ｂが容易に広げられるようになるだけでなく、ストラップ５ｂが広げられた状態でスノーボードに保持されるようにもなり、ビンディングは、手を使わなくても履物に取着され得る。
【００２１】
ビンディングは、履物に取着されると、留め具９、１０を用いてこれに締め付けられる。必要に応じて、ストラップ５ｂの長さが、ループ１７が係合されるラック２２の複数の歯２１を変えることによって前もって調節され得る。
【００２２】
また、前方のストラップ留め具６は、説明された、同じ調節能力及び可撓性を有する後方の留め具５に類似した構造を有してもよい。更に、ループ１７は、合成繊維、プラスチック材料などの非金属材料で形成されてもよい。
【００２３】
かくして、本発明は、提案された目的を果し、従来技術のビンディングの上に多くの効果を提供する。
【００２４】
第１の効果は、ストラップ留め具が使用者側の労力を必要とせずに金属ループの領域におけるどんなねじれもしくは回動にも従い、よってビンディングのベースへの履物の位置付けを妨げないことから、ビンディングを履物に極めて早くかつ容易に取着できることである。
【００２５】
もう１つの効果は、ループに用いられるケーブルが金属のコアを有することである。これによって、ケーブルを非常に細くでき、よって、これの可撓性を向上させるにも関わらずこれの張力の強度を確実にできる。
【００２６】
更に、ビンディングは、様々の形態の足もしくは様々のタイプの履物に色々な方法で適合され得る。
【００２７】
また、最後になるが、ストラップ留め具の全長と、ビンディングのベースに対する傾斜との両方の調節は、特に容易である。
【図面の簡単な説明】
【図１】  本発明に係るスノーボードビンディングの斜視図である。
【図２】  図１のII−II線に沿ったビンディングの断面が示された拡大詳細図である。
【図３】  図１のビンディングの更なる一部分の斜視図である。
【図１】
0004672964.tif 000002
【図２】
0004672964.tif 000003
【図３】
0004672964.tif 000004